(57)【特許請求の範囲】
【請求項１】
レンジフード本体をレンジフード設置部に、当該レンジフード設置部にねじ込みされた取付ねじで取り付ける際に用いるレンジフード設置用位置決め部材であって、
前記レンジフード設置用位置決め部材は、前記レンジフード設置部に仮取り付けされる部材本体を有し、
前記部材本体は、前記取付ねじを前記レンジフード設置部にねじ込む位置と合致したねじ位置目印と、前記取付ねじが通り抜け可能なねじ抜き部と、前記ねじ位置目印と前記ねじ抜き部を連続し、前記部材本体と前記取付ねじを前記ねじ位置目印から前記ねじ抜き部まで相対的に移動可能とするねじ移動可能部を有していることを特徴とするレンジフード設置用位置決め部材。
【請求項２】
前記取付ねじは、ねじ部と、ねじ部よりも大径の頭部を有し、前記ねじ部の先端部を前記部材本体の前記ねじ位置目印にさして前記レンジフード設置部にねじ込みするようにし、
前記ねじ抜き部は、前記部材本体が前記取付ねじの軸方向に移動することで前記取付ねじの頭部を通り抜けるようにし、
前記ねじ移動可能部は、前記部材本体と、前記ねじ位置目印を介して前記レンジフード設置部にねじ込みした前記取付ねじのねじ部を前記ねじ位置目印から前記ねじ抜き部まで相対的に移動可能とする請求項１記載のレンジフード設置用位置決め部材。
【請求項３】
前記レンジフード本体は、当該レンジフード本体を前記レンジフード設置部に所定の位置、姿勢として取り付けるための取付基準部と、前記取付ねじが挿通する取付穴を有し、
前記取付ねじは、ねじ部と、ねじ部よりも大径の頭部を有し、
前記部材本体は、前記レンジフード本体の取付基準部と対応した仮取付基準部を有し、
前記仮取付基準部と前記ねじ位置目印との距離が、前記レンジフード本体の前記取付基準部と前記取付穴の取付ねじ当接部との距離よりも前記取付ねじのねじ部の半径だけ短い距離と等しい請求項１又は２記載のレンジフード設置用位置決め部材。
【請求項４】
前記ねじ抜き部は、前記取付ねじが挿通する大きさのねじ抜き孔とし、
前記ねじ移動可能部は、前記ねじ位置目印と前記ねじ抜き孔を連続するスリット、溝、ミシン目、溝とミシン目を組み合わせたもの、切り込みのいずれかである請求項１〜３いずれか１項記載のレンジフード設置用位置決め部材。
【請求項５】
前記ねじ移動可能部は、前記ねじ位置目印から前記部材本体の端面まで連続したスリット、溝、ミシン目、溝とミシン目を組み合わせたもの、切り込みのいずれかとし、
前記部材本体の端面よりも外方部分を前記ねじ抜き部とした請求項１〜３いずれか１項記載のレンジフード設置用位置決め部材。
【請求項６】
前記ねじ移動可能部は、前記ねじ位置目印から放射状に複数設けた請求項１〜５いずれか１項記載のレンジフード設置用位置決め部材。
【請求項７】
前記ねじ位置目印は、凹部である請求項１〜６いずれか１項記載のレンジフード設置用位置決め部材。
【請求項８】
前記ねじ位置目印は、前記部材本体の表面と裏面に貫通した孔である請求項１〜６いずれか１項記載のレンジフード設置用位置決め部材。
【請求項９】
レンジフード本体をレンジフード設置部に、当該レンジフード設置部にねじ込みされた取付ねじで取り付ける際に用いるレンジフード設置用位置決め部材であって、
前記レンジフード設置用位置決め部材は、前記レンジフード設置部に仮取り付けされる部材本体を有し、
前記部材本体は、前記取付ねじを前記レンジフード設置部にねじ込む位置と合致したねじ位置目印と、前記ねじ位置目印の周囲部分に、当該ねじ位置目印を中心とした放射状に設けた複数の分離補助部を有し、
前記取付ねじのねじ部の先端部を前記部材本体の前記ねじ位置目印にさして前記ねじ部を前記レンジフード設置部にねじ込んだ状態で、前記部材本体を前記取付ねじの軸方向で、かつ前記レンジフード設置部と離れる方向に移動することで、前記部材本体の前記ねじ位置目印の周囲部分が前記取付ねじの頭部に干渉して前記周囲部分が前記分離補助部により複数の部分に分離し、かつ分離した各部分が湾曲変形して前記取付ねじの頭部を通り抜けるようにしたことを特徴とするレンジフード設置用位置決め部材。
【請求項１０】
前記分離補助部は、切り込み、スリット、ミシン目、溝、溝とミシン目を組み合わせたもののいずれかである請求項９記載のレンジフード設置用位置決め部材。
【請求項１１】
請求項１〜１０いずれか１項記載のレンジフード設置用位置決め部材と前記レンジフード本体を入れた容器。
【発明の詳細な説明】
【技術分野】
【０００１】
本発明は、レンジフードをレンジフード設置部に設置する際に用いるレンジフード設置用位置決め部材、及びレンジフード本体とレンジフード設置用位置決め部材を入れた容器に関する。
【背景技術】
【０００２】
レンジフードとしては、レンジフード本体と送風機を備え、送風機を駆動することでレンジフード本体内に空気を吸い込み、その吸い込んだ空気をレンジフード本体から吐出するものが知られている（特許文献１参照）。
かかるレンジフードは、レンジフード本体を取付ねじを用いてレンジフード設置部に取り付けることで設置するのが一般的である。
【先行技術文献】
【特許文献】
【０００３】
【特許文献１】特開２００７−２３２３５１号公報
【発明の概要】
【発明が解決しようとする課題】
【０００４】
レンジフード本体を取付ねじを用いてレンジフード設置部に取り付けするには、レンジフード本体を作業者が手で持ち、レンジフード本体を所定の取り付け位置で所定の取り付け姿勢として保持し、その状態で取付ねじをレンジフード本体の取付穴からレンジフード設置部にねじ込むようにしている。
このために、レンジフード本体をレンジフード設置部に取り付ける作業が大変面倒である。
【０００５】
このことを解消するために、本出願人は、取付ねじをレンジフード設置部に、取付ねじの頭部がレンジフード設置部と離れるようにねじ込みし、レンジフード本体の取付穴をねじ込みした取付ねじに引掛けることでレンジフード本体を吊り下げ支持する。
この状態で取付ねじを本締めしてレンジフード本体をレンジフード設置部に取り付けするようにした。
このようにしてレンジフード本体を取り付けることで、レンジフード本体を作業者が手で持って保持しなくとも良いから、レンジフード本体を取り付ける作業が簡単となる。
【０００６】
しかしながら、取付ねじを、レンジフード設置部におけるレンジフード本体の取り付け位置、取り付け姿勢に応じた所定の位置に位置決めしてねじ込みしなければならず、その作業が大変面倒である。
そこで、本出願人は、型紙に取付ねじをねじ込む印を設けてレンジフード設置用位置決め部材とし、型紙をレンジフード設置部に貼り付け、その型紙の印に取付ねじの先端部をさし、取付ねじを回転してレンジフード設置部にねじ込むことで、取付ねじを所定の位置にねじ込みできるようにした。
このようにすることで、取付ねじをレンジフード設置部の所定の位置に位置決めして簡単にねじ込むことができる。
【０００７】
型紙は、取付ねじをレンジフード設置部にねじ込みした後に取り除く必要があるので、型紙を引張ることで型紙の取付ねじが挿通した部分を引きちぎることで取り除いている。
このために、型紙の引きちぎられた部分が取付ねじに引っかかる等によりレンジフード設置部に残ることがあり、その残った型紙の一部分を取り除くのは困難であった。
また、厚い型紙などの腰の強い型紙であれば、レンジフード取付部に貼り付けし易いが、型紙の腰が強いと、型紙を強い力で引張っても引きちぎれないことがあるから、型紙の腰の強さには限度がある。
【０００８】
本発明は、前述の課題を解決するためになされたもので、その目的は、レンジフード設置部から全てを容易に取り除くことができ、腰の強さに制約を受けることがないようにしたレンジフード設置用位置決め部材及び容器とすることである。
【課題を解決するための手段】
【０００９】
本発明の第１のレンジフード設置用位置決め部材は、レンジフード本体１をレンジフード設置部に、当該レンジフード設置部にねじ込みされた取付ねじ３で取り付ける際に用いるレンジフード設置用位置決め部材であって、
前記レンジフード設置用位置決め部材１１０は、前記レンジフード設置部に仮取り付けされる部材本体７を有し、
前記部材本体７は、前記取付ねじ３を前記レンジフード設置部にねじ込む位置と合致したねじ位置目印７ｂと、前記取付ねじ３が通り抜け可能なねじ抜き部８と、前記ねじ位置目印７ｂと前記ねじ抜き部８を連続し、前記部材本体７と前記取付ねじ３を前記ねじ位置目印７ｂから前記ねじ抜き部８まで相対的に移動可能とするねじ移動可能部９を有していることを特徴とするレンジフード設置用位置決め部材である。
【００１０】
本発明の第１のレンジフード設置用位置決め部材においては、前記取付ねじ３は、ねじ部３０と、前記ねじ部３０よりも大径の頭部３１を有し、前記ねじ部３０の先端部を前記部材本体７の前記ねじ位置目印７ｂにさして前記レンジフード設置部にねじ込みするようにし、
前記ねじ抜き部８は、前記部材本体７が前記取付ねじ３の軸方向に移動することで前記取付ねじ３の頭部３１を通り抜けるようにし、
前記ねじ移動可能部９は、前記部材本体７と、前記ねじ位置目印７ｂを介して前記レンジフード設置部にねじ込みした前記取付ねじ３のねじ部３０を前記ねじ位置目印７ｂから前記ねじ抜き部８まで相対的に移動可能とすることができる。
【００１１】
このようにすれば、取付ねじ３のねじ部３０を部材本体７のねじ位置目印７ｂにさし、取付ねじ３を回転してレンジフード設置部にねじ込んだ状態で、部材本体７を取付ねじ３の軸心とほぼ直角方向に移動することで、ねじ移動可能部９がねじ部３０に対して移動し、ねじ抜き部８が取付ねじ３のねじ部３０と合致する。
この状態で、部材本体７を取付ねじ３の軸方向でレンジフード設置部から離れる方向に移動することで、部材本体７は取付ねじ３の頭部３１を通り抜け、レンジフード設置部から取り除くことができる。
【００１２】
本発明の第１のレンジフード設置用位置決め部材においては、前記レンジフード本体１は、当該レンジフード本体１を前記レンジフード設置部に所定の位置、姿勢として取り付けるための取付基準部１ａと、前記取付ねじ３が挿通する取付穴２を有し、前記取付ねじ３は、ねじ部３０と、ねじ部３０よりも大径の頭部３１を有し、
前記部材本体７は、前記レンジフード本体１の取付基準部１ａと対応した仮取付基準部７ａを有し、
前記仮取付基準部７ａと前記ねじ位置目印７ｂとの距離が、前記レンジフード本体１の前記取付基準部１ａと前記取付穴２の取付ねじ当接部２ａとの距離よりも前記取付ねじ３のねじ部３０の半径だけ短い距離と等しくすることができる。
【００１３】
このようにすれば、部材本体７を仮取付基準部７ａを基準としてレンジフード設置部に仮取り付けすることで、ねじ位置目印７ｂが、取付基準部１ａを基準としてレンジフード設置部に取り付けるレンジフード本体１の取付穴２の取付ねじ当接部２ａから取付ねじ３の半径だけ離れた位置と合致する。
したがって、ねじ位置目印７ｂにさしてレンジフード設置部にねじ込んだ取付ねじ３にレンジフード本体１の取付穴２を挿通して取付穴２の取付ねじ当接部２ａを取付ねじ３に当接して引掛けることで、レンジフード本体１を吊り下げ、取付ねじ３を本締めすることによりレンジフード本体１をレンジフード設置部に所定の位置、姿勢として取り付けることができる。
【００１４】
本発明の第１のレンジフード設置用位置決め部材においては、前記ねじ抜き部８は、前記取付ねじ３が挿通する大きさのねじ抜き孔８０とし、
前記ねじ移動可能部９は、前記ねじ位置目印７ｂと前記ねじ抜き孔８０を連続するスリット９０、溝、ミシン目、溝とミシン目を組み合わせたもの、切り込みのいずれかとすることができる。
【００１５】
このようにすれば、ねじ抜き部８をねじ位置目印７ｂの近くに形成し、ねじ移動可能部９の長さを短くできるから、部材本体７を短い距離移動することでレンジフード設置部から取り除くことができる。
【００１６】
本発明の第１のレンジフード設置用位置決め部材においては、前記ねじ移動可能部９は、前記ねじ位置目印７ｂから前記部材本体７の端面まで連続したスリット９０、溝、ミシン目、溝とミシン目を組み合わせたもの、切り込みのいずれかとし、
前記部材本体７の端面よりも外方部分を前記ねじ抜き部８とすることができる。
【００１７】
このようにすれば、部材本体７にねじ抜き部８を設ける必要がなく、レンジフード設置用位置決め部材を容易に作成できる。部材本体７を取付ねじ３の軸心とほぼ直角方向に移動することで取り除くことができる。
【００１８】
本発明の第１のレンジフード設置用位置決め部材においては、前記ねじ移動可能部９は、前記ねじ位置目印７ｂから放射状に複数設けることができる。
【００１９】
このようにすれば、部材本体内７を複数の方向のいずれか１つの方向に移動してレンジフード設置部から取り除くことができる。
【００２０】
本発明の第１のレンジフード設置用位置決め部材においては、前記ねじ位置目印７ｂは、凹部７ｂ−１とすることができる。
【００２１】
このようにすれば、取付ねじ３０をさすべき中心が明確となると共に、凹部７ｂ−１をガイドとしてさすことができるから、取付ねじ３を部材本体７の正しい位置に確実にさし、レンジフード設置部の所定位置にねじ込むことができる。
【００２２】
本発明の第１のレンジフード設置用位置決め部材においては、前記ねじ位置目印７ｂは、前記部材本体７の表面７０と裏面７１に貫通した孔７ｂ−２とすることができる。
【００２３】
このようにすれば、取付ねじ３を孔７ｂ−２にさし、取付ねじ３を回転してレンジフード設置部にねじ込む際に、取付ねじ３が部材本体７を巻き込むことが減り、正しくねじ込むことができる。
また、表面７０と裏面７１との間の寸法が大きい厚い部材本体７であっても取付ねじ３をさし易い。
【００２４】
本発明の第２のレンジフード設置用位置決め部材は、レンジフード本体１をレンジフード設置部に、当該レンジフード設置部にねじ込みされた取付ねじ３で取り付ける際に用いるレンジフード設置用位置決め部材であって、
前記レンジフード設置用位置決め部材１１０は、前記レンジフード設置部に仮取り付けされる部材本体７を有し、
前記部材本体７は、前記取付ねじ３を前記レンジフード設置部にねじ込む位置と合致したねじ位置目印７ｂと、前記ねじ位置目印７ｂの周囲部分７ｃに、当該ねじ位置目印７ｂを中心とした放射状に設けた複数の分離補助部１２０を有し、
前記取付ねじ３のねじ部３０の先端部を前記部材本体７の前記ねじ位置目印７ｂにさして前記ねじ部３０を前記レンジフード設置部にねじ込んだ状態で、前記部材本体７を前記取付ねじ３の軸方向で、かつ前記レンジフード設置部と離れる方向に移動することで、前記部材本体７の前記ねじ位置目印７ｂの周囲部分７ｃが前記取付ねじ３の頭部３１に干渉して前記周囲部分７ｃが前記分離補助部１２０により複数の部分に分離し、かつ分離した各部分７ｃ−１が湾曲変形して前記取付ねじ３の頭部３１を通り抜けるようにしたことを特徴とするレンジフード設置用位置決め部材である。
【００２５】
本発明の第２のレンジフード設置用位置決め部材においては、前記分離補助部１２０は、切り込み、スリット、ミシン目、溝、溝とミシン目を組み合わせたもののいずれかとすることができる。
【００２６】
本発明は、請求項１〜１０いずれか１項記載のレンジフード設置用位置決め部材と前記レンジフード本体を入れた容器とすることができる。
【００２７】
このようにすれば、レンジフード本体１をレンジフード設置用位置決め部材１１０を用いてレンジフード設置部に正しく取り付けできる。
【発明の効果】
【００２８】
本発明の第１のレンジフード設置用位置決め部材によれば、レンジフード設置部に仮取り付けした部材本体のねじ位置目印から取付ねじをレンジフード設置部にねじ込んだ状態で、部材本体を取付ねじの軸心とほぼ直角方向に移動してねじ抜き部を取付ねじと合致させること、又は合致させた状態で部材本体を取付ねじの軸方向に移動して取付ねじを通り抜けることでレンジフード設置部から取り除くことができる。
したがって、部材本体を引きちぎることがないから、レンジフード設置部から部材本体の全てを容易に取り除くことができ、部材本体の腰の強さに制約を受けることがない。
【００２９】
本発明の第２のレンジフード設置用位置決め部材によれば、レンジフード設置部に仮取り付けした部材本体のねじ位置目印から取付ねじをレンジフード設置部にねじ込んだ状態で、部材本体を取付ねじの軸方向に移動して取付ねじを通り抜けることでレンジフード設置部から取り除くことができる。
したがって、部材本体を引きちぎることがないから、レンジフード設置部から部材本体の全てを容易に取り除くことができ、部材本体の腰の強さに制約を受けることがない。
【図面の簡単な説明】
【００３０】
【図１】レンジフード本体の実施形態を示す正面図である。
【図２】レンジフード本体の実施形態を示す側面図である。
【図３】幕板の斜視図である。
【図４】レンジフード設置用位置決め部材の実施形態を示す正面図である。
【図５】図４のＡ−Ａ断面図である。
【図６】図４のＢ−Ｂ断面図である。
【図７】レンジフード設置用位置決め部材をレンジフード設置部に仮取り付けした状態の正面図である。
【図８】図７のＣ−Ｃ断面図である。
【図９】仮取り付けしたレンジフード設置用位置決め部材を移動した状態の正面図である。
【図１０】図９のＤ−Ｄ断面図である。
【図１１】幕板の高さ調整作業の説明用斜視図である。
【図１２】高さ調整した幕板の斜視図である。
【図１３】ねじ抜き部の第２の実施形態を示す正面図である。
【図１４】ねじ抜き部の第３の実施形態を示す正面図である。
【図１５】ねじ抜き部の第４の実施形態を示す正面図である。
【図１６】ねじ位置目印の第２の実施形態を示す正面図である。
【図１７】図１６のＥ−Ｅ断面図である。
【図１８】ねじ位置目印の第３の実施形態を示す正面図である。
【図１９】図１８のＦ−Ｆ断面図である。
【図２０】レンジフード設置用位置決め部材の第２の実施形態を示す正面図である。
【図２１】レンジフード設置用位置決め部材をレンジフード設置部に仮取り付けした状態の取付ねじ部分の縦断面図である。
【図２２】部材本体を取り除く動作説明図である。
【発明を実施するための形態】
【００３１】
本発明のレンジフード設置用位置決め部材を用いてレンジフード設置部に設置するレンジフードの実施形態を図１と図２に基づいて説明する。
レンジフード１００は、レンジフード本体１を備え、レンジフード本体１は取付穴２を有している。
そして、取付ねじ３を取付穴２からレンジフード設置部であるレンジフード設置壁１０１にねじ込みして、レンジフード本体１をレンジフード設置壁１０１に取り付けることで、レンジフード１００をレンジフード設置壁１０１に設置する。
【００３２】
取付穴２の取付ねじ当接部２ａとレンジフード本体１の取付基準部１ａは設定距離Ｌ１離隔している。
取付穴２の取付ねじ当接部２ａとは、レンジフード設置壁１０１にねじ込んだ取付ねじ３の外周面の上部に当接する部分である。
実施形態では、レンジフード本体１は取付部１ｂを有し、取付部１ｂに取付穴２が形成してある。
取付穴２は大径穴２０と、大径穴２０と連続し、かつ大径穴２０よりも小径の小径穴２１とでほぼだるま形状である。
取付ねじ３は、取付穴２の小径穴２１よりも小径のねじ部３０と、ねじ部３０と連続し取付穴２の小径穴２１よりも大径で、大径穴２０よりも小径である頭部３１を有している。
そして、レンジフード本体１をレンジフード設置壁１０１に取り付けた状態では、取付ねじ３のねじ部３０が取付穴２の小径穴２１を挿通して小径穴２１の取付ねじ当接部２１ａが取付ねじ３のねじ部３０の外周面の上部に当接し、頭部３１が取付部１ｂをレンジフード設置壁１０１に押しつけて固着する。つまり、小径穴２１の取付ねじ当接部２１ａが取付穴２の取付ねじ当接部２ａである。
【００３３】
レンジフード本体１の取付基準部１ａとは、レンジフード本体１をレンジフード設置壁１０１に取り付ける際に、取り付け位置及び取り付け姿勢を決める基準となる部分である。
例えば、左右方向に連続した直線状部である。
【００３４】
レンジフード本体１の詳細を説明する。
実施形態のレンジフード本体１は、フード４と、フード４の上部に設けた本体５を有している。本体５に取付部１ｂを設けてある。
本体５の内部に図示しない送風機が収容してある。送風機が駆動することでフード４の下部の空気をフード４内に吸込み、フード４内に吸い込んだ空気を本体５から吐出する。
【００３５】
フード４は、上面板４０と前面板４１と後面板４２と左右の側面板４３と下面板４４を有したほぼ箱形状である。
前面板４１の下端部４１ａは後面板４２の下端部４２ａよりも上方に位置している。下面板４４は前端部が後端部よりも高く、水平に対して傾斜している。下面板４４には図示しない吸込口が設けてある。
本体５は、上面板５０と前面板５１と後面板５２と左右の側面板５３を有したほぼ箱形状である。
本体５の左右寸法(左右の側面板５３間の寸法)はフード４の左右寸法(左右の側面板４３間の寸法)より小さい。本体５の前後寸法(前面板５１と後面板５２間の寸法)はフード４の前後寸法（前面板４１と後面板４２間の寸法）より小さい。
フード４の上面板４０における左右方向中央部で、後面板４２寄りに本体５が設けてある。フード４の後面板４２と本体５の後面板５２は面一に連続し、各後面板４２，５２がレンジフード設置壁１０１に接するように取り付ける。
【００３６】
本体５の上面板５０の後面板５２寄りに上面側吊り金具５４が設けてある。
上面側吊り金具５４は上面板５０よりも上方に突出し、レンジフード設置壁１０１に当接する。
上面側吊り金具５４の左右両端寄りに取付穴２がそれぞれ設けてある。上面側吊り金具５４がレンジフード本体１の取付部１ｂである。
【００３７】
取付穴２の取付ねじ当接部２ａ（小径穴２１の取付ねじ当接部２１ａ）とフード４の前面板４１の下端部４１ａとは設定距離Ｌ１離隔している。
レンジフード本体１はレンジフード設置壁１０１に、フード４の前面板４１の下端部４１ａが調理器具（図示せず）の上面から所定距離Ｈ離れ、かつ水平となるように取り付けられる。
これにより、フード４の前面板４１の下端部４１ａがレンジフード本体１の取付基準部１ａである。
つまり、取付ねじ３は、レンジフード設置壁１０１における調理器具の上面から所定距離Ｈと（設定距離Ｌ１−取付ねじ３（ねじ部３０）の半径）の和の距離分離れた位置にねじ込みされる。
【００３８】
本体５の左右の側面板５３に側面側吊り金具５６がそれぞれ設けてある。側面側吊り金具５６に取付穴２が設けてある。側面側吊り金具５６はレンジフード本体１の取付部１ｂである。
上面側吊り金具５４を用いずに側面側吊り金具５６を用いてレンジフード本体１をレンジフード設置壁面１０１に取り付けることができる。
この場合には、側面側吊り金具５６の取付穴２の取付ねじ当接部２ａとフード４の前面板４１の下端部４１ａとの間の距離を設定距離Ｌ１とする。
【００３９】
例えば、レンジフード本体１を取り付ける部分の天井が低く、上面側吊り金具５４が天井と干渉してレンジフード設置壁１０１に取り付けできない場合、レンジフード設置壁１０１に排気用穴があり、上面側吊り金具５４の取付穴２から取付ねじ３をレンジフード設置壁１０１にねじ込みできない場合など、上面側吊り金具５４を利用してレンジフード本体１をレンジフード設置壁１０１に取り付けできない場合に、側面側吊り金具５６の取付穴２から取付ねじ３をレンジフード設置壁１０１にねじ込むことで、レンジフード本体１をレンジフード設置壁１０１に取り付ける。
この場合、上面側吊り金具５４が邪魔であれば、上面側吊り金具５４を本体５から取り外し、または切断して除去等すれば良い。
【００４０】
図１と図２に示すように、フード４の上面板４０に幕板６が設けてある。
幕板６は図３に示すように、調整幕板下６ａと調整幕板上６ｂを高さ調整可能に連結してある。
調整幕板下６ａは、前面板６０と、前面板６０の左右縁に設けた側面板６１と、前面板６０の下端縁に設けた下面板６２を有している。
側面板６１は、前面板６０の左右縁と連続し，後面に設けて突出した第１板６１ａと、第１板６１ａの突出端と連続し前面板６０と平行となった第２板６１ｂとで平面形状が鉤形状である。
【００４１】
調整幕板上６ｂは、調整幕板下６ａと同様に、前面板６３と、第１板６４ａと第２板６４ｂで鉤形の側面板６４と、上面板６５を有している。
【００４２】
調整幕板上６ｂは調整幕板下６ａに、調整幕板下６ａの内側面（前面板６０の後面、左右の側面板６１の対向した内側面）に沿って上下方向にスライド可能に嵌合して設けてある。
そして、調整幕板上６ｂを上下方向にスライドすることで幕板６の高さを調節し、その状態で、各側面板６１，６４の第２板６１ｂ，６４ｂ相互を図示しないねじで固定して所定の高さの幕板６とする。
幕板６の高さＨ１は、調整幕板下６ａの高さＨ２と、調整幕板上６ｂの調整幕板下６ａからの突出寸法Ｈ３の和である。
調整幕板下６ａの高さＨ２は、調整幕板下６ａの下端面６ａ−１と上端面６ａ−２との間の寸法である。
調整幕板上６ｂの突出寸法Ｈ３は、調整幕板下６ａの上端面６ａ−２と調整幕板上６ｂの上端面６ｂ−１との間の寸法である。
【００４３】
次に、図１、図２に示すレンジフード本体１をレンジフード設置壁１０１に取り付ける際に用いる本発明のレンジフード設置用位置決め部材の実施形態を説明する。
図４と図５と図６に示すように、レンジフード設置用位置決め部材１１０は部材本体７を有する。
部材本体７は、同じ大きさの表面７０、裏面７１と、相対向した第１端面７２、第２端面７３と、相対向した第３端面７４、第４端面７５を有する正面形状が矩形状である。
部材本体７の表面７０、裏面７１の大きさ、つまり、部材本体７の正面の大きさは、図１に示すレンジフード本体１の正面の大きさとほぼ同じである。
実施形態の部材本体７は、第１端面７２、第２端面７３の長さが等しく、その各長さはフード４の左右方向の長さ（左右の側面板４３間の長さ）と同一である。
第３端面７４と第４端面７５の長さは等しく、その長さはフード４の前面板４１の下端部４１ａと上面側吊り金具５４の上端面５４ａまでの距離よりも長い。
【００４４】
部材本体７は、レンジフード本体１の取付基準部１ａと対応した仮取付基準部７ａを有している。
実施形態では、部材本体７の第２端面７３が仮取付基準部７ａで、その仮取付基準部７ａは左右方向に一直線状である。
部材本体７の表面７０には、レンジフード本体１の取付穴２の取付ねじ当接部２ａと対応し、取付ねじ３の先端部をさす位置を示すねじ位置目印７ｂが設けてある。
このねじ位置目印７ｂと仮取付基準部７ａとの間の距離Ｌ２は、図１、図２に示す取付穴２の取付ねじ当接部２ａと取付基準部１ａとの間の設定距離Ｌ１よりも取付ねじ３（ねじ部３０）の半径だけ短い距離と等しい。
【００４５】
実施形態では、部材本体７の表面７０にレンジフード本体１のフード４の上面板４０に対応した上面板線７６、本体５の外周に沿った本体輪郭線７７（つまり本体５の上面板５０に対応した上面板線７７ａ、本体５の左右の側面板５３に対応した左右の側面板線７７ｂ）、上面側吊り金具５４の外周に沿った上面側吊り金具輪郭線７８、上面側吊り金具５４の取付穴２に沿った取付穴線７８ａ、側面側吊り金具５６の外周に沿った側面側吊り金具輪郭線７９、側面側吊り金具５６の取付穴２に沿った取付穴線７９ａがそれぞれ描いてある。例えば、印刷してある。
つまり、部材本体７の表面７０には、レンジフード本体１の上部分の輪郭線が描いてある。
そして、各取付穴線７８ａ，７９ａの小径穴を示す部分の上部７８ａ−１，７９ａ−１（取付穴２の取付ねじ当接部２ａに相当する部分）から取付ねじ３の半径だけ離隔した位置を２つの鎖線の交点として描き、その交点をねじ位置目印７ｂとしてある。
【００４６】
部材本体７には、各ねじ位置目印７ｂと離隔したねじ抜き部８と、ねじ抜き部８とねじ位置目印７ｂを連続するねじ移動可能部９が設けてある。
ねじ抜き部８は、部材本体７を取付ねじ３の軸方向に移動することで、取付ねじ３の頭部３１を通り抜けできるものである。
ねじ移動可能部９は、取付ねじ３のねじ部３０を表面７０からねじ位置目印７ｂを貫通して裏面７１まで突出した状態で、部材本体７を取付ねじ３の軸心とほぼ直角方向に移動することで、ねじ部３０に対してねじ抜き部８が取付ねじ３と合致するまで移動できるようにするものである。つまり、ねじ移動可能部９は、部材本体７と取付ねじ３のねじ部３０をねじ位置目印７ｂからねじ抜き部８まで相対的に移動可能とするものである。
【００４７】
実施形態のねじ抜き部８は、ねじ位置目印７ｂの上方に上下方向の間隔を置いて形成したねじ抜き孔８０で、ねじ抜き孔８０は取付ねじ３の頭部３１の径よりも大きく、頭部３１はねじ抜き孔８０を通り抜けできる。
ねじ抜き孔８０は部材本体７の表面７０と裏面７１に貫通している。
ねじ移動可能部９は、ねじ位置目印７ｂからねじ抜き孔８０まで連続したスリット９０である。
実施形態のねじ位置目印７ｂは、表面７０に印刷した取付穴線７８ａ，７９ａの小径穴を示す部分の上部７８ａ−１，７９ａ−１から取付ねじ３（ねじ部３０）の半径だけ下方（部材本体７の第２端面７３方向）に離隔した位置を２つの鎖線の交点として印刷したものである。
このねじ位置目印７ｂ（交点）に取付ねじ３のねじ部３０の先端部をさすことで、取付ねじ３のねじ部３０の外周面は取付穴線７８ａ，７９ａの小径穴を示す部分（スリット９０のねじ抜き孔８０と反対側）まで達するので、取付穴線７８ａ，７９ａの小径穴を示す部分からねじ抜き孔８０までねじ移動可能部９（スリット９０）を形成すれば良いが、説明の都合上ねじ位置目印７ｂからねじ抜き孔８０までねじ移動可能部９（スリット９０）を形成するとした。
【００４８】
ねじ移動可能部９であるスリット９０の幅は、取付ねじ３のねじ部３０の径よりも大きくとも良いし、小さくとも良いが、スリット９０の幅は部材本体７の材質に応じて設定することが好ましい。
つまり、部材本体７は、薄紙、厚紙、段ボール紙、合成樹脂製プレート、木製プレート、金属製プレートなど種々の材質とすることができるが、部材本体７の腰（剛性）が強く、部材本体７を引張りスリット９０の部分を取付ねじ３のねじ部３０に強く押しつけたときにスリット９０が拡開変形し難い場合はスリット９０の幅を広くし、部材本体１の腰（剛性）が弱く、スリット９０が拡開変形し易い場合はスリット９０の幅を狭くすることが好ましい。
【００４９】
また、部材本体７を厚紙、段ボール紙などの腰の強い材質とすることで、部材本体７をレンジフード設置壁１０１に貼り付け等する際に部材本体７がたるんだり、曲がったりせずに起立状態を保持するから、作業性が向上する。
【００５０】
部材本体７の表面７０における第３端面７４、第４端面７５に沿った部分に幕板６の高さＨ１を示す幕板高さ用目盛１０がそれぞれ表示してある。
幕板高さ用目盛１０は、部材本体７の第２端面７３を調整幕板下６ａの高さＨ２の値とし、第２端面７３から第１端面７２に向けて調整幕板下６ａの高さＨ２の値にプラスした値が表示してある。つまり、幕板６の高さＨ１の値が表示してある。
【００５１】
次に、レンジフード取り付け作業の実施形態を説明する。
部材本体７をレンジフード設置壁１０１に、第１端面７２が上で第２端面７３が下となり、第３端面７４と第４端面７５が左右方向に向かうように仮取り付けする。例えば、粘着テープ等を用いて部材本体７をレンジフード設置壁１０１に貼り付ける。
【００５２】
このとき、部材本体７の仮取付基準部７ａ（部材本体７の第２端面７３）を、レンジフード本体１をレンジフード設置壁１０１に取り付けた状態の取付基準部１ａ（フード４の前面板４１の下端部４１ａ）と合致させる。
例えば、レンジフード本体１を、そのフード４の前面板４１の下端部４１ａが調整器具の上面から所定距離Ｈ（例えば、８００ｍｍ）離れた位置で水平となるようにレンジフード設置壁１０１に取り付ける場合は、部材本体７の第２端面７３と調理器具の上面との間の距離を測長具を用いて測長し、その距離が所定距離Ｈ（例えば、８００ｍｍ）となり、かつ第２端面７３が水平となるように部材本体７をレンジフード設置壁１０１に仮取り付けする。
なお、部材本体７を手でレンジフード設置壁１０１に押しつけて仮取り付けすることもできる。
【００５３】
これにより、部材本体７のねじ位置目印７ｂは、前述のようにレンジフード設置壁１０１に取り付けしたレンジフード本体１の取付穴２の取付ねじ当接部２ａよりも取付ねじ３（ねじ部３０）の半径だけ下方に離れた位置と同一位置となる。
【００５４】
図７、８に示すように、部材本体７のねじ位置目印７ｂに取付ねじ３のねじ部３０の先端部をさし、取付ねじ３を回転してねじ部３０をレンジフード設置壁１０１にねじ込み、取付ねじ３の頭部３１がレンジフード設置壁１０１と離れ、両者の間に隙間を有する状態とする。
これにより、取付ねじ３はレンジフード設置壁１０１の所定位置、例えば、調理器具の上面から所定距離Ｈと（設定距離Ｌ１−取付ねじ３の半径）の和だけ離れた位置にねじ込みされる。
【００５５】
図７、図８に矢印ａで示す方向に部材本体７を取付ねじ３の軸心とほぼ直角方向に引っ張り、スリット９０を取付ねじ３のねじ部３０に対して移動することで、図９、図１０に示すように部材本体７のねじ抜き孔８０を取付ねじ３のねじ部３０と合致させる。
この状態で部材本体７を、取付ねじ３の軸方向で、レンジフード設置壁１０１と離れる方向（図１０の矢印ｂ方向）に移動することで、ねじ抜き孔８０に取付ねじ３の頭部３１を通り抜けさせ、部材本体７、つまりレンジフード設置用位置決め部材１１０をレンジフード設置壁１０１から取り除く。
【００５６】
このように、部材本体７を引きちぎることなく取り除くことができるので、レンジフード設置用位置決め部材１１０を再利用可能である。
また、部材本体７の全てをレンジフード設置壁１０１から容易に取り除くことができる。
また、スリット９０を取付ねじ３のねじ部３０に対して移動するので、部材本体７の腰の強い、弱いに関係なく、部材本体７をねじ抜き孔８０が取付ねじ３の頭部３１に合致するまで移動することができ、部材本体７の腰の強さに制約を受けることがない。
【００５７】
レンジフード設置用位置決め部材１１０をレンジフード設置壁１０１から取り除いた後に、レンジフード本体１の取付穴２の大径穴２０を、取付ねじ３の頭部３１を通してねじ部３０まで挿入し、レンジフード本体１を下方に移動して取付穴２の小径部２１の取付ねじ当接部２１ａをねじ部３０に当接して引掛けることで、レンジフード本体１を取付ねじ３で吊り下げ支持する。
この状態で取付ねじ３を本締めして頭部３１で上面側吊り金具５４をレンジフード設置壁１０１に押しつけ、レンジフード本体１を取り付ける。
このようであるから、レンジフード本体１をレンジフード設置壁１０１に簡単に取り付けできる。
【００５８】
次に、幕板６の取り付けを説明する。
レンジフード本体１をレンジフード設置壁１０１に取り付けた状態で、フード４の上面板４０と天井との間の寸法を測長器などを用いて測長し、その測長値に基づいて幕板６の高さＨ１を決定する。
【００５９】
図１１と図１２に示すように、レンジフード設置用位置決め部材１１０の部材本体７の第２端面７３を、調整幕板下６ａの上端面６ａ−２に合わせると共に、調整幕板上６ｂを部材本体７の表面７０に沿って移動可能とする。
調整幕板上６ｂを移動し、その上端面６ｂ−１の左右両端部を部材本体７の左右両端部（第２端面７４、第４端面７５寄り）の幕板高さ用目盛１０の所定の目盛に合わせることで、幕板６の高さＨ１を測長値に基づいた値に調整する。
【００６０】
このようであるから、部材本体７を利用して幕板６の高さＨ１を測長値に基づいた値に簡単に調整できる。
【００６１】
測長値に基づいた値の高さＨ１の幕板６を、フード４の上面板４０と天井との間に取り付ける（図１、図２の仮想線参照）。
【００６２】
次に、他の実施形態を説明する。
部材本体７の正面の大きさ、仮取付基準部７ａの位置、ねじ位置目印７ｂの位置と数は、前述のものに限ることはなく、取り付けるレンジフード本体１の正面の大きさ、取付基準部１ａ、取付穴２の位置、数（つまり、形状）に対応して決定される。
【００６３】
ねじ抜き部８はねじ抜き孔８０としたが、これに限ることはない。
図１３に示すように部材本体７の端面、例えば、第１端面７２に開口した切欠き部８１をねじ抜き部８としても良い。
また、図１４に示すようにスリット９０を部材本体７の端面、例えば第１端面７２まで連続することで、部材本体７の端面、例えば第１端面７２よりも外方部分８２をねじ抜き部８としても良い。
【００６４】
ねじ移動可能部９はスリット９０としたが、これに限ることはない。
ねじ移動可能部９は、切り込み、ミシン目とすることができる。
ねじ移動可能部９は、部材本体７の表面７０又は裏面７１に形成した溝、または部材本体７の表面７０と裏面７１に対向して形成した２つの溝とすることができる。また、溝の底部にミシン目を形成したものとすることができる。
つまり、ねじ移動可能部９は、部材本体７を取付ねじ３の軸心とほぼ直角方向に移動（引張り）することで、そのねじ移動可能部９が取付ねじ３のねじ部３０に対して移動するものであれば良い。
【００６５】
また、ねじ移動可能部９（スリット９０）は一直線上であるが、折れ曲がった直線状、曲線状などでも良い。
また、ねじ移動可能部９（スリット９０）は、ねじ位置目印７ｂから上方に向いているので、部材本体７を下方に引張ることでねじ部３０に対して移動するが、これに限ることはなく、ねじ移動可能部９（スリット９０）はねじ位置目印７ｂを中心として３６０°どの方向へ向かっても良い。
【００６６】
ねじ移動可能部９（スリット９０）はねじ位置目印７ｂから一方向（上方）に向かう１つとしてあるが、図１５に示すように、ねじ位置目印７ｂから複数のねじ移動可能部９（スリット９０）を放射状方向に向けて設けても良い。
この場合は、各ねじ移動可能部９（スリット９０）のねじ位置目印７ｂと反対側をねじ抜き部８（ねじ抜き孔８０）に連続させる。
【００６７】
ねじ位置目印７ｂは、部材本体７の表面７０に描いた（例えば、印刷した）２つの鎖線の交点として表示してあるが、これに限ることはない。
ねじ位置目印７ｂは、部材本体７の表面７０に印刷した点とすることができる。
【００６８】
図１６と図１７に示すように、部材本体７の表面７０に凹部７ｂ−１を形成し、その凹部７ｂ−１をねじ位置目印７ｂとしても良い。
このようにすれば、取付ねじ３のねじ部３０の先端部をさすべき中心がより明確となると共に、ねじ部３０の先端部を凹部７ｂ−１をガイドとしてさすことができるから、取付ねじ３を部材本体７の正しい位置に確実にさすことができ、取付ねじ３をレンジフード設置壁１０１の所定位置にねじ込むことができる。
ねじ位置目印７ｂは部材本体７の表面７０に形成した凸部とすることができる。
【００６９】
図１８と図１９に示すように、部材本体７の表面７０と裏面７１に貫通した孔７ｂ−２を形成し、その穴７ｂ−２をねじ位置目印７ｂとしても良い。
このようにすれば、取付ねじ３を回転操作し、取付ねじ３のねじ部３０を孔７ｂ−２を通してレンジフード設置壁１０１にねじ込む際にねじ部３０は孔７ｂ−２に沿って回転するので、ねじ部３０が部材本体７を巻き込むことが減り、正しくねじ込むことができる。
また、厚い部材本体７であっても取付ねじ３のねじ部３０をさし易くなる。
【００７０】
次に、レンジフード設置用位置決め部材の第２の実施形態を説明する。
図２０に示すように、レンジフード設置用位置決め部材１１０は部材本体７を備えている。
部材本体７は図４に示す部材本体７と比べると、ねじ位置目印７ｂを点として図示してあること、ねじ抜き部８、ねじ移動可能部９を有していないことが異なり、他の構成は同一であるから、図４に示す部材本体７と同一部分は同じ符号をつけることで説明を省略する。
【００７１】
部材本体７はねじ位置目印７ｂを中心として放射状に複数の分離補助部１２０を有している。
分離補助部１２０は、部材本体７のねじ位置目印７ｂ部分に部材本体７の厚さ方向の外力が負荷することで、部材本体７のねじ位置目印７ｂの周囲部分７ｃが周方向に複数の部分に分離し、かつ各部分が厚さ方向に湾曲変形するようにするものである。
【００７２】
実施形態の分離補助部１２０は、部材本体７の表面７０と裏面７１に貫通した切り込みである。
分離補助部１２０は切り込みに限ることはない。分離補助部１２０はスリット、ミシン目、部材本体７の表面７０又は裏面７１に形成した溝、部材本体の表面７０と裏面７１に対向して形成した２つの溝、溝の底部にミシン目を形成したもの等とすることができる。
【００７３】
部材本体７は図４に示す部材本体７と同様にしてレンジフード設置壁１０１に仮取り付けされる。
部材本体７のねじ位置目印７ｂに取付ねじ３のねじ部３０の先端部をさし、取付ねじ３を回転することでねじ部３０をレンジフード設置壁１０１にねじ込み、図２１に示すように、取付ねじ３の頭部３１が部材本体７の表面７０から離れた状態で取付ねじ３をレンジフード設置壁１０１にねじ込みする。
この状態で、取付ねじ３のねじ部３０の外周面は各分離補助部１２０のねじ位置目印側部分（中心側部分）と連続する。
【００７４】
図２１に示す状態から、部材本体７を取付ねじ３の軸方向でレンジフード設置壁１０１と離れる方向に移動することで、図２２に示すように部材本体７のねじ位置目印７ｂの周囲部分７ｃが取付ねじ３の頭部３１に干渉して周囲部分７ｃに部材本体７の厚さ方向の外力Ｆが負荷し、分離補助部１２０により周方向に複数の部分に分離し、かつ分離した各部分７ｃ−１が部材本体７の厚さ方向に湾曲変形するので、各部分７ｃ−１は互いに離れる。
これにより、部材本体７のねじ位置目印７ｂの周囲部分７ｃは取付ねじ３の頭部３１を通り抜け、レンジフード設置壁１０１から取り除くことができる。
【００７５】
このようであるから、部材本体７を取付ねじ３の軸方向に移動することのみで、部材本体７をレンジフード設置壁１０１から取り除くことができる。
なお、ねじ位置目印７ｂは図１６、図１７に示す凹部７ｂ−１、図１８、図１９に示す孔７ｂ−２とすることができる。
【００７６】
本発明のレンジフード設置用位置決め部材１１０は、レンジフード本体１の大きさ、形状等に応じてそれぞれ作成されるものであるから、レンジフード本体１の大きさ、形状等とは異なるレンジフード設置用位置決め部材１１０を用いると、レンジフード本体１を正しく取り付けできない。
そこで、レンジフード本体１と、そのレンジフード本体１の大きさ、形状等に応じて作成されたレンジフード設置用位置決め部材１１０を備えたレンジフードとする。
例えば、レンジフード本体１とレンジフード設置用位置決め部材１１０を１つの容器に入れて輸送するようにする。
【００７７】
このようにすることで、レンジフード本体１をレンジフード設置用位置決め部材１１０を用いてレンジフード設置壁１０１に正しく取り付けできる。
【符号の説明】
【００７８】
１…レンジフード本体、１ａ…取付基準部、１ｂ…取付部、２…取付穴、２ａ…取付ねじ当接部、３…取付ねじ、４…フード、５…本体、６…幕板、７…部材本体、７ａ…仮取付基準部、７ｂ…ねじ位置目印、７ｂ−１…凹部、７ｂ−２…孔、７ｃ…周囲部分、７ｃ−１…分離した各部分、８…ねじ抜き部、９…ねじ移動可能部、１０…幕板高さ用目盛、３０…ねじ部、３１…頭部、８０…ねじ抜き孔、９０…スリット、１００…レンジフード、１０１…レンジフード設置壁（レンジフード設置部）、１１０…レンジフード設置用位置決め部材、１２０…分離補助部。
【図１】
0006399893.tif 000002
【図２】
0006399893.tif 000003
【図３】
0006399893.tif 000004
【図４】
0006399893.tif 000005
【図５】
0006399893.tif 000006
【図６】
0006399893.tif 000007
【図７】
0006399893.tif 000008
【図８】
0006399893.tif 000009
【図９】
0006399893.tif 000010
【図１０】
0006399893.tif 000011
【図１１】
0006399893.tif 000012
【図１２】
0006399893.tif 000013
【図１３】
0006399893.tif 000014
【図１４】
0006399893.tif 000015
【図１５】
0006399893.tif 000016
【図１６】
0006399893.tif 000017
【図１７】
0006399893.tif 000018
【図１８】
0006399893.tif 000019
【図１９】
0006399893.tif 000020
【図２０】
0006399893.tif 000021
【図２１】
0006399893.tif 000022
【図２２】
0006399893.tif 000023